(57)【要約】【課題】  従来とは異なる構造で、強い力を受けても各フードが損傷しないで回転が防止できるリール装着部を有する釣竿を提供する。【解決手段】  竿杆１０に装着される筒状のリールシート本体２０と、該本体外周に設けた雄ねじに螺合するナット部材２６と、該ナット部材の回動によって前後方向に移動する環状の移動フード部材２４と、前記リールシート本体に対して固定される環状の固定フード部材２２とを具備し、前記リールシート本体のリール脚載置面２０Ｓとは径方向反対側を、該リールシート本体の外周よりも小さな曲率の曲面部又は平面部とし、該曲面部又は平面部の断面非円形部２０Ｍに対応し、前記固定フード部材と移動フード部材の各内面は、リールシート本体に対する円周方向の相対回転が阻止できる断面非円形形状に形成されているよう構成する。【選択図】        図５
2006180801.tif 000002
【特許請求の範囲】
【請求項１】
竿杆に装着される筒状のリールシート本体と、該本体外周に設けた雄ねじに螺合するナット部材と、該ナット部材の回動によって前後方向に移動する環状の移動フード部材と、前記リールシート本体に対して固定される環状の固定フード部材とを具備し、
前記リールシート本体のリール脚載置面とは径方向反対側を、該リールシート本体の外周よりも小さな曲率の曲面部又は平面部とし、該曲面部又は平面部の断面非円形部に対応し、前記固定フード部材と移動フード部材の各内面は、リールシート本体に対する円周方向の相対回転が阻止できる断面非円形形状に形成されていることを特徴とするリール装着部を有する釣竿。
【請求項２】
前記移動フード部材と固定フード部材とが同じ寸法形状であって、同じ材料で形成されている請求項１記載のリール装着部を有する釣竿。
【請求項３】
前記断面非円形部表面には滑り止め部材が設けられている請求項１又は２記載のリール装着部を有する釣竿。
【請求項４】
前記断面非円形部表面には、リールシート本体の前後方向に沿って凹凸うねりが設けられている請求項１〜３の何れか１記載のリール装着部を有する釣竿。
【発明の詳細な説明】
【技術分野】
【０００１】
本発明は、筒状のリールシート本体を使用したリール装着部を有する釣竿に関する。
【背景技術】
【０００２】
下記特許文献１には、筒状リールシートのリール脚載置面用の凹部とフードに設けた凸部とを係合させ、フードの回転防止を図る構造が開示されている。また、特許文献２には、筒状取付脚（筒状リールシート本体）のリール脚載置側とは径方向反対側にキー溝が設けられており、受座（フード）に設けた突起をこのキー溝に係合させて回り止めを行う構造が開示されている。
【特許文献１】特開２００３−３１０１０９号公報
【特許文献２】実開昭５４−１４８２８６号公報
【発明の開示】
【発明が解決しようとする課題】
【０００３】
然しながら、ひらまさ等大物を釣る船竿の場合、リール装着部には極めて大きな力が作用して各フードが回転しようとするため、上記文献２の構造では、キー溝に係合する受座突起が損傷する虞が強く、改善の必要がある。
従って解決しようとする課題は、上記文献１とは異なる構造で、強い力を受けても各フードが損傷しないで回転が防止できるリール装着部を有する釣竿を提供することである。
【課題を解決するための手段】
【０００４】
請求項１に係る発明では、竿杆に装着される筒状のリールシート本体と、該本体外周に設けた雄ねじに螺合するナット部材と、該ナット部材の回動によって前後方向に移動する環状の移動フード部材と、前記リールシート本体に対して固定される環状の固定フード部材とを具備し、前記リールシート本体のリール脚載置面とは径方向反対側を、該リールシート本体の外周よりも小さな曲率の曲面部又は平面部とし、該曲面部又は平面部の断面非円形部に対応し、前記固定フード部材と移動フード部材の各内面は、リールシート本体に対する円周方向の相対回転が阻止できる断面非円形形状に形成されていることを特徴とするリール装着部を有する釣竿を提供する。
リールシート本体の外周とは、リール脚載置面と断面非円形部を除いた外周の意味である。
曲率の大小は、対比する各領域の全体に亘って大小の言える場合も含むが、部分的には大小が逆になる部位が存在してもよい。従って、平均的な意味の大小である。
リールシート本体外面の断面非円形部と各フード部材の内面断面非円形とは対応しているが、必ずしも同一という狭い意味ではない。
【０００５】
請求項２では、前記移動フード部材と固定フード部材とが同じ寸法形状であって、同じ材料で形成されている請求項１記載のリール装着部を有する釣竿を提供する。
請求項３では、前記断面非円形部表面には滑り止め部材が設けられている請求項１又は２記載のリール装着部を有する釣竿を提供する。
また、請求項４では、前記断面非円形部表面には、リールシート本体の前後方向に沿って凹凸うねりが設けられている請求項１〜３の何れか１記載のリール装着部を有する釣竿を提供する。
【発明の効果】
【０００６】
本発明の請求項１では、各フードの断面非円形形状の内面が、リールシート本体の断面非円形部に対応していて、フードの回転が防止されるため、例え、大物を釣る場合でも、リール装着部が安定する。また、リールシート本体の断面非円形部は、本体外周の曲率よりも小さな曲率の曲面部又は平面部であり、これに対応して各フードの内面が断面非円形形状に形成されて回転が防止されているため、各フードの特定部に応力が集中することも無く、損傷が防止できる。更には、リール装着部を把持する釣竿操作の場合（パーミング時）に、掌にリールシート本体の曲率の小さな部位が当り、把持した手が安定すると共に、リールシート本体の円形外周と、これよりも小さな曲率の曲面部又は平面部との左右の境界部は部分的に曲率が大きくなっており、これによって把持した手が左右方向に滑り難くなって安定する。
【０００７】
請求項２では、移動フード部材と固定フード部材とが同一部材であるため、リールシート本体に組み込む際に、部品の区別をする必要が無く、効率的に組み込み作業ができる。
請求項３では、滑り止めがなされているため、パーミング状態での釣竿操作が安定する。
請求項４でも、リール脚載置面の径方向反対側の断面非円形部表面に、前後方向に沿って凹凸うねりが設けられているため、パーミング状態に把持した手の指が凹部に嵌り、手が安定する。
【発明を実施するための最良の形態】
【０００８】
以下、本発明を図面を用いて詳細に説明する。図１は本発明に係る釣竿の例であり、ひらまさ等大物を釣る船竿の側面図である。図３はそのリール装着部の上面図、図４はリール装着部の下面図、図５はリール装着部の縦断面図である。エポキシ樹脂等の合成樹脂を炭素繊維等の強化繊維で強化した繊維強化樹脂製竿管１０の所定位置には、リール装着部３０が設けられており、その直前部に前側グリップ３２、直後に後側グリップ３４として、夫々、発泡性樹脂やコルク部材によって形成されたグリップ部材を設けている。３６は尻栓であり、Ｇはガイドである。
【０００９】
リール装着部３０は、竿管１０の外側に、筒状リールシート本体２０が接着等によって固定されており、この例では、その後端部に、固定フード２２Ｆ用穴を設けた固定フード部材２２が接着固定されている。本体の前側領域外周には雄ねじ２０Ｎが設けられ、この雄ねじと螺合するダブルナット２６と移動フード２４Ｆ用穴を設けた移動フード部材２４とが前記固定フードに対向配置されている。更には、両軸型リール４０等のリールを載置するリール脚載置面２０Ｓが、釣竿のガイドＧの側（図１の上側）に設けられている。このリール脚載置面とは径方向反対側に、（リール脚載置面を除く）リールシート本体２０の円形外周よりも曲率の小さな曲面（円弧面と任意の曲面を含む）や平面等の断面非円形部２０Ｍを形成している。従って、この断面非円形部２０Ｍ領域では、雄ねじ２０Ｎは削除されている。
【００１０】
上記各部材２０，２２，２４，２６は金属や合成樹脂材で形成できるが、金属としては、アルミニウム、ステンレス、チタン、亜鉛、銅、真鍮等で形成できる。また、ダブルナット２６の間に、Ｏリング等の緩み防止部材を設けてもよい。また、この例では、固定フード部材２２と移動フード部材２４とは同一部材であり、サイズも材料も同じであるが、異なってもよい。図６は固定フード部品２２（又は移動フード部品２４）の縦断面図である。
【００１１】
図７（ａ）は図２の矢視線Ａ−Ａにおける横断面図、（ｂ）は何れかの矢視線Ｂ−Ｂにおける横断面図である。この例では、断面非円形部２０Ｍはリールシート本体の外径の半分（半径）以上の広さの平面で形成しており、筒状リールシート本体２０の円形外周との境界部２０Ｐには丸みを設けているが、本体外周の曲率より大きな曲率である。このリールシート本体のリール脚載置面とは径方向反対側に掌を当てて把持するパーミング時には、この断面非円形部２０Ｍの広い面が掌に当り、把持が安定する。また、パーミング状態での釣竿操作の際に、掌に対して上記境界部２０Ｐの存在によって釣竿が左右方向に滑り難く、安定する。更には、リールのサイズによって、固定フード部材と移動フード部材との長手方向の間に雄ねじＮの領域が露出する場合も、掌には直接的には雄ねじ部が殆ど当らず、せいぜいリールシート本体側面部の雄ねじに接触する程度である。従って、手が殆ど痛くない。
【００１２】
更には、各フード部材２２，２４の内面は前記リールシート本体の断面非円形部２０Ｍに対応した断面非円形部２２Ｍを形成している。この例の場合の対応は、（ｂ）に図示するように寸法的に完全一致させている。このため、各フード部材に対して回転力が作用しても回らない。しかし、回転防止では、例えば、断面非円形部２０Ｍの両端部２０Ｐと断面非円形部２２Ｍの両端部が一致しておれば、断面非円形部２２Ｍの中央部が、平面である断面非円形部２０Ｍから径方向に幾分離隔するように曲面状に形成されているというように、２つの断面非円形部２０Ｍ，２２Ｍは完全一致していなくてもよい。このことは以下の他の例でも同様である。
【００１３】
図８は、断面非円形部２０Ｍの他の形態例を示し、リールシート本体の円形外周との境界部２０Ｐから下方に向かって傾斜した左右の平面部２０Ｍ１，２０Ｍ２を設け、これらの平面部の交差する頂部２０Ｍ３は適宜な曲率の曲面に形成している。この頂部の曲率はリールシート本体の円形外周の曲率よりも大きな曲率であるが、断面非円形部２０Ｍ全体として、平均的な意味ではリールシート本体外周よりも小さな曲率といえ、また、全体としてＶ字形状とも言える。頂部２０Ｍ３の存在によって、掌に対して釣竿が更に左右方向に滑り難くなる。
【００１４】
図９は、断面非円形部２０Ｍの更に他の形態例を示し、リールシート本体の円形外周との境界部２０Ｐから、該円形外周よりも小さな曲率の円弧面等の曲面によって形成している。緩やかな曲面故、図７の平面部の場合よりも掌に対する密着感が向上する。
図１０は、断面非円形部２０Ｍは図９の場合と同じであるが、リール脚載置面２０Ｓが平面的ではなく、リールシート本体の円形外周のままである例を示す。
上記図８〜図１０の各形態例も、図７の場合と同様な把持の安定性やフード部材の回転防止作用を奏する。
【００１５】
図１１は、断面非円形部２０Ｍが前後方向に単純な直線状形態ではなく、両フード部材間に露出する領域では、前後方向に凹凸状（うねり状）に形成された縦断面図を示す。凸部２０Ｔは、リールシート本体２０と同一材で一体に形成したり、別材のゴムやエラストマー樹脂等の滑り止め材としての機能を有する材料を一体化させて形成してもよい。凸部２０Ｔの間隔を適宜に設定すれば、把持する手の指が、凸部間の凹部に入り、釣竿操作の際にこれらの指が前後の凸部に引っ掛り、安定する。
以上では、後側に固定フード部材、前側に移動フード部材を設けたが、特に大物用の竿でなければ、フード部材の前後を逆にした形態でもよい。
【産業上の利用可能性】
【００１６】
本発明は、ひらまさ等の大物を対象とする船竿に利用できるが、その他の各種釣竿にも利用できる。
【図面の簡単な説明】
【００１７】
【図１】図１は本発明に係る釣竿の側面図である。
【図２】図２は図１のリール装着部の拡大側面図である。
【図３】図３は図２のリール装着部の上面図である。
【図４】図４は図２のリール装着部の下面図である。
【図５】図５は図２のリール装着部の縦断面図である。
【図６】図６は図１のフード部材の拡大縦断面図である。
【図７】図７は図１の矢視線Ａ−Ａ、Ｂ−Ｂによる各横断面図である。
【図８】図８は図７に代る形態例の図である。
【図９】図９は図７に代る他の形態例の図である。
【図１０】図１０は図７に代る更に他の形態例の図である。
【図１１】図１１は図５に代る他の形態例の図である。
【符号の説明】
【００１８】
１０                竿杆
２０                筒状リールシート本体
２０Ｍ              断面非円形部
２２                固定フード部材
２４                移動フード部材
３０                リール装着部
【図１】
2006180801.tif 000003
【図２】
2006180801.tif 000004
【図３】
2006180801.tif 000005
【図４】
2006180801.tif 000006
【図５】
2006180801.tif 000007
【図６】
2006180801.tif 000008
【図７】
2006180801.tif 000009
【図８】
2006180801.tif 000010
【図９】
2006180801.tif 000011
【図１０】
2006180801.tif 000012
【図１１】
2006180801.tif 000013